(57)【要約】      （修正有）【課題】音量や耐久性を損なわずに、高音域の演奏を容易にすることが可能な金管楽器のマウスピースを提供する。【解決手段】金管楽器に装着されて呼気吹き込み口となるマウスピース１の、リムカンター２１の表面に径方向に沿って溝７を設けた。前記溝７は、リム２の内周側から外周側にかけて徐々に幅が狭くなるように形成され、前記リム２の内周は、前記溝７となだらかな曲面でつながっている。【選択図】図１
0003132023.tif 000002
【実用新案登録請求の範囲】
【請求項１】
金管楽器に装着されて呼気吹き込み口となるマウスピースであって、リムカンターの表面に径方向に沿って溝を設けたことを特徴とする金管楽器のマウスピース。
【請求項２】
前記溝は、リム内周側からリム外周側にかけて徐々に幅が狭くなるように形成されたことを特徴とする請求項１に記載の金管楽器のマウスピース。
【請求項３】
前記リム内周は、前記溝となだらかな曲面でつながっていることを特徴とする請求項１または請求項２に記載の金管楽器のマウスピース。
【請求項４】
前記リム内周は、前記溝の両側部分が直線または他の部分よりも直線に近い緩やかな弧を描くように形成されたことを特徴とする請求項１から請求項３のいずれか１項に記載の金管楽器のマウスピース。
【請求項５】
リム厚さは、前記溝の両側が厚く、前記溝から離れるに従って徐々に薄くなるように形成されたことを特徴とする請求項１から請求項４のいずれか１項に記載の金管楽器のマウスピース。
【考案の詳細な説明】
【技術分野】
【０００１】
本考案は、金管楽器のマウスピースに関する。
【背景技術】
【０００２】
金管楽器は、演奏者が、空気を口から吹き出すときに口腔内の圧力を高めて唇を小刻みに振動させ、その振動をマウスピースのカップ内部の空気に伝えて音波を生じさせ、マウスピースのスロート、楽器本体の管、楽器本体のベルを通して音波を空気中に伝えることによって音を出している。
【０００３】
そして、音高の変化は、演奏者が、唇の振動数を変化させて周波数を変化させることにより生じさせている。唇の振動数は、楽器本体のベルから空気中に出るとき反射した音波が、楽器本体、マウスピースを通じて演奏者の唇に戻ってきて、再び唇の圧力が高められ唇を小刻みに振動させるという繰り返しが生ずることによって定まるほか、演奏者自身が唇の開き具合やマウスピースへの押しつけ方により調整する。
【０００４】
このように金管楽器の演奏には演奏者自身で唇の振動を調整することが重要である。この唇の振動の速さや振幅の大きさは、演奏者の技術のみならず、マウスピースの素材や形状によっても左右される。そこで、演奏者が唇の厚さ、固さ、大きさや歯並びなどに合わせて選べるように、円形に形成されたリムの厚さや形状、リム内径の大きさ、カップの深さが異なるマウスピースが製造されている。
【０００５】
高音域を出すためには唇の振動を小刻みにして振動数を高くすることが必要であり、一般に、リム内径が小さいマウスピースを用いると高音域を演奏しやすい。円の直径が小さいほど円周上の２点を結んだ弦が短くなるように、マウスピースのリム内径が小さいほど、唇をリムに押しつけたときに唇のカップにわたる部分の長さが短くなり、唇の振動数を高くすることが容易になるためである。
また、演奏者の唇が固い場合には、唇の張力を強めて口腔内の圧力を高めることによって唇の振動を小刻みに速くすることが容易であるが、唇の固さや形状は個人差が大きい。特に、日本人には、唇が軟らかい人が多く、高音域を出すのが困難なことが多い。
【０００６】
【特許文献１】特開２００４−６１５７３号公報
【考案の開示】
【考案が解決しようとする課題】
【０００７】
ところで、高音域を出しやすくするためには、リム内径を小さくするという方法もあるが、リム内径を小さくすると、マウスピースのカップも小さくなることから振幅も小さくなり、音量が小さくなるという問題がある。
また、円形に形成されたリムの厚さや形状、リム内径の大きさ、カップの深さの調整によっても、演奏者の唇の厚さや固さといった個人差を補完するには十分とはいえない。
【０００８】
そこで、本考案は、音量を損なわずに、高音域の演奏を容易にすることが可能な金管楽器のマウスピースを提供することを課題とする。
【課題を解決するための手段】
【０００９】
前記した課題を解決するため、本考案の金管楽器のマウスピースは、金管楽器に装着されて呼気吹き込み口となるマウスピースであって、リムカンターの表面に径方向に沿って溝を設けたことを特徴とする。
【００１０】
このように構成された金管楽器のマウスピースによれば、上唇を溝が設けられた部分のリムカンターに押し当てることにより、溝にわたる部分の上唇の長さを短くすることができるため、上唇を小刻みに振動させやすくなる。したがって、上唇の振動数を多くすることができ、高音域の音が出やすくなる。
【００１１】
また、前記した課題を解決するため、さらに、前記溝は、リム内周側からリム外周側にかけて徐々に幅が狭くなるように形成されたことを特徴とする。
【００１２】
このように、溝の幅が徐々に狭くなっているため、上唇を押しつける位置を溝に沿って移動させることにより、溝にわたる部分の上唇の長さを細かく調整することができる。したがって、上唇の振動数をより細かく調整することが容易になる。
【００１３】
また、前記した課題を解決するため、さらに、前記リム内周は、前記溝となだらかな曲面でつながっていることを特徴とする。
【００１４】
リム内周を溝となだらかな曲面でつなげることによって、溝の縁が唇に食い込みにくくなり、リムカンターに唇を強く押しつけたり、長時間演奏したりしても、唇を傷めにくくなる。また、リムカンターに唇が引っ掛からないので、リムカンターに対する唇の移動がスムーズになる。
【００１５】
また、前記した課題を解決するため、さらに、前記リム内周は、前記溝の両側部分が直線または他の部分よりも直線に近い緩やかな弧を描くように形成されたことを特徴とする。
【００１６】
円においては、径と直交する弦の長さは、直交する径に沿って中心から周に近づくにつれ急激に短くなる。そのため、リム内周が円または円に近い場合、高音域を出す際、唇を押しつける位置の調整が難しい。しかし、本考案のように溝の両側部分を直線または他の部分よりも直線に近い緩やかな弧を描くように形成することによって、溝に近い部分のリム内周上の２点を結んだ弦の長さの変化を緩やかにすることができる。したがって、唇をリムカンターに押しつけたときに、内周から溝にかけて上唇がわたる部分の長さの調整が容易になり、上唇の振動数をより細かく調整することができる。
【００１７】
また、前記した課題を解決するため、さらに、本考案の金管楽器のマウスピースは、リム厚さは、前記溝の両側が厚く、前記溝から離れるに従って徐々に薄くなるように形成されたことを特徴とする。
【００１８】
これによって、リムカンターに設けた溝の長さを長くすることができ、上唇の位置の調整の範囲が大きくなるとともに、溝を設けてもマウスピースの強度を保つことができる。
【００１９】
また、前記した課題を解決するため、さらに、本考案の金管楽器のマウスピースは、前記溝は、リム内周側からリム外周側にかけて徐々に浅くなるように形成されたことを特徴とする。
【００２０】
このように形成されたことにより、溝がカップの内側に向かって傾斜するため、吹き出した呼気がカップから漏れにくくなり、呼気の振動をカップからスロートに伝えやすくなる。
【考案の効果】
【００２１】
本考案の金管楽器のマウスピースによれば、音量を損なわず、また、演奏者の唇の特性にかかわらず高音域の演奏を容易にすることが可能である。
【考案を実施するための最良の形態】
【００２２】
次に、本考案の実施形態について、適宜図面を参照しながら詳細に説明する。
参照する図面において、図１は、本考案の実施形態に係るマウスピースを前側から見た斜視図であり、図２は、同マウスピースの縦断面図であり、図３は、同マウスピースを前から見た図であり、図４は、図１のIV部の拡大図である。
図１及び図２に示すように、マウスピース１は、リム２、カップ３、スロート４、バックボア５、シャンク６の各部分から構成されている。
【００２３】
リム２は、呼気を吹き込む開口部の周縁部である。リム２の外周は図３に示すように円形をなしている。演奏者が唇を当てる面であるリムカンター２１が、リム外周及びカップ３とつながる肩の部分は、図２に示すように角をとり曲面となるように形成されている。
【００２４】
カップ３は、リムカンター２１側の開口部が広く、底側の開口部が狭いカップ状に形成されている。カップ３は、唇の振動がカップ３内の空気に伝わり、カップ３の内壁すなわちリム内周面にぶつかって跳ね返るようにするための空間を設けている部分である。
スロート４は、カップ３の底のほぼ中心部に設けられた円形断面の通路である。スロート４は、圧力をかけられて吹き込まれた呼気がカップ３内部にたまり、唇にかかる圧力を維持するように狭く形成されている。
【００２５】
シャンク６は、円筒状に形成されたマウスピース１の軸であり、その外径はリム２の外径よりも小さく形成されている。シャンク６は、金管楽器の吹込管に嵌め込まれ、マウスピース１を金管楽器に取り付ける際の接続部となる。
バックボア５は、シャンク６の内側の空洞部分であり、スロート４からバックボア５まで徐々に径が大きくなるようにテーパ状に形成されている。
【００２６】
図１ないし図３に示すように、リムカンター２１の表面には、上部（図２及び図３における上）に、溝７が設けられている。
【００２７】
溝７は、本実施形態では、図３及び図４に示すように、下方から上方にかけて徐々に幅が狭くなるように形成されている。また本実施形態では、溝７の断面形状はＶ字であるが、これに限定されず、演奏法や求める音色によっては底の広いＵ字溝などに形成してもよい。
【００２８】
図３に示すように、マウスピース１は、前方から見たときに溝７からリム内周にかけての接続部７ａは、なだらかな曲面で形成されている。また、リムカンター２１、溝７、リム外周の壁、リム内周の壁は、すべてなめらかな曲面でつながっている。
【００２９】
また、マウスピース１は、リム内周の上部２２が、直線または他の部分よりも直線に近い緩やかな弧を描くように形成されている。このように形成すると、リム内周の上部は山状になり、他の部分よりもリム内周上の２点間の距離Ｌの変化が緩やかになる。
【００３０】
図３に示すように、本実施形態では、リム２の厚さｔは、上部（図３における上）が厚く、下部（図３における下）は上部よりも薄くなるように形成されている。
【００３１】
、図２に示すように、本実施形態では、溝７は、下（図２における下）から上（図２における上）にかけて徐々に浅くなるように形成されている。
溝７の上端７ｂは、図４に示すように、リム２の外周にまで貫通するように延びている。このため、溝７は上唇の振動を調整するのに十分な幅で形成することができる。
【００３２】
以上のように構成されたマウスピース１の作用について説明する。
まず、マウスピース１のシャンク６を金管楽器本体の吹込管に嵌め込んで装着する。
演奏者が、マウスピース１のリムカンター２１に設けられた溝７に上唇がわたるように唇を当てて空気を吹き出すと、溝７の内側にある上唇の振動が溝７の内側の空気に伝えられる。そうすると、上唇の振動部分は、リム２の内周にわたるように唇を当てたときよりも狭いので、上唇の振動がより小刻みになり、振動数が増える。
こうして振動数が高い空気が溝７からカップ３、スロート４、バックボア５、金管楽器本体の管を通って、金管楽器本体のベルから外へ出ると、高い周波数の音となって聞こえる。
【００３３】
このとき、演奏者がリムカンター２１の上部に設けられた溝７に上唇がわたるように唇を当てて空気を吹き出すと、唇の隙間から空気が出るときの上唇の振動は、主に溝７の内側の空気に伝えられる。そうすると、溝７の幅は狭いので、上唇の振動が小刻みになり、上唇の振動が伝わった空気の振動も速く小刻みになる。こうして、振動数が増え、高い周波数の音となり、高音域を出すことができる。
【００３４】
また、演奏者が高音域を出すために唇をリムカンター２１に押し当てて唇の圧力を高めたときにも、吹き出した空気は、溝７を通ってカップ３内部に流れていくので、唇への負担が軽くなり、疲労しにくくなる。
【００３５】
また、溝７の縁、溝７からリム内周にかけてのリムカンター２１の表面は角や急な盛り上がりのないなめらかな曲面状に形成されていることから、唇をリムカンター２１の溝７の付近に押しつけたときにも唇を痛めにくい。さらに、唇がリム２の縁に引っ掛からないので、リム２に対し唇をスムーズに移動させることができる。
【００３６】
そして、上唇を、リム内周側に近い溝７の幅の広い位置に当てるか、リム外周側に近い溝７の幅の狭い位置に当てるかによって、上唇の振動幅を調整することができ、高音域の振動数の微調整が容易になる。
【００３７】
また、本実施形態では図３に示すように前方から見たときに、リム内周は、溝７の左右（図３における左右）から下に向かって、リム内周の下部よりも直線または直線に近い弧を描くように形成されている。リム内周が円状の場合、リムカンター２１のどの位置でも弦の長さの変化の仕方は同じであるが、本実施形態においては、リム内周の上部は山型に近い形状になり、溝７の中心線に直交する直線がリム内周と交わる２点間の距離Ｌの変化は、リム内周の下部よりも緩やかになる。
【００３８】
そのため、溝７に近い位置において、振動する上唇の幅の微調整が容易になるほか、溝７から下方に唇を移動させたときに振動する上唇の幅が急激に広がることを防ぎ、高音域と中、低音域との移行をなめらかに行うことが容易になる。
【００３９】
このことを従来のマウスピースと比較しながら説明する。
図５は、従来のマウスピースの断面図であり、図６は、従来のマウスピースの正面図である。なお、図５および図６において、本実施形態と同様の部分には同じ符号を付す。
図５および図６に示すように、従来のマウスピース１００では、リム内周の輪郭は円形であり、リムカンター２１に溝７は形成されていない。
そのため、リム内周の幅（図３の距離Ｌに相当）は、図６における上にいくにつれ徐々に短くなるが、リム２の内周の上端付近では、上下方向の位置の変化に対して、幅の変化が極めて大きくなる。例えば、図６の高さｙ１における距離Ｌ１は、上下方向の位置の変化に対して比較的緩やかに変化するが、高さｙ２のようにリム２の内周付近では、距離Ｌ２は、上下方向の位置の変化に対して極めて過敏に変化する。
このため、従来のマウスピース１００では、上唇をマウスピースに対して上下させたときに、上唇がリムにより拘束されない部分、つまり、カップ３に向かい合って振動できる部分の大きさが、極端に変化する。
【００４０】
これに対し、本実施形態のマウスピース１では、リム内周の上部２２が他の部分より大きな円弧または直線で形成され、いわば山状に形成されているので、距離Ｌは、上下方向の位置の変化に対して比較的緩やかに変化する。そのため、演奏者は、上唇をリム２に対して上下させることで、上唇の振動できる部分の大きさを徐々に変化させることができ、このため、音程の調整を容易に行うことができるのである。
また、上唇をリム２に対し相対的に上に移動させると、上唇が溝７に対面し、非常に狭い幅で振動することが可能となるため、上唇が軟らかい人であっても、容易に高音域の音を出すことが可能である。
【００４１】
リム２の厚さは、溝７の両側が厚く形成されているので、上唇を溝７に当てたときに、上唇がリムカンター２１の溝７の両側部分で安定して支えられる。また、上唇がリム２に食い込みにくくなるため、上唇の疲労や傷みを防ぎやすい。
【００４２】
溝７は、リム内周側からリム外周側にかけて徐々に浅くなるように形成されているので、唇をリムカンター２１に押し当てて、空気を吹き込んだときに、空気の流れが溝７の浅い側から深い側に向かう。そのため、空気がリムカンター２１の外周の外へ漏れにくい。
【００４３】
前記実施形態では、リム内径の大きさ、リム内周の形状、溝７の幅、深さを特定していないが、個人差に応じて選択できるように多様な大きさ、組み合わせの物を製作することが望ましい。
【００４４】
前記実施形態では、図１及び図２において、トランペットのマウスピースを例として示したが、本考案はこれに限定されず、他の金管楽器のマウスピースに適用してもよい。
【図面の簡単な説明】
【００４５】
【図１】本考案の実施形態に係るマウスピースを前方から見た斜視図である。
【図２】実施形態に係るマウスピースの縦断面図である。
【図３】実施形態に係るマウスピースの正面図である。
【図４】図１のIV部の拡大図である。
【図５】従来のマウスピースの縦断面図である。
【図６】従来のマウスピースの正面図である。
【符号の説明】
【００４６】
１      マウスピース
２      リム
３      カップ
４      スロート
５      バックボア
６      シャンク
７      溝
２１    リムカンター
【図１】
0003132023.tif 000003
【図２】
0003132023.tif 000004
【図３】
0003132023.tif 000005
【図４】
0003132023.tif 000006
【図５】
0003132023.tif 000007
【図６】
0003132023.tif 000008